(57)【特許請求の範囲】
【請求項１】
ノミが誘引される波長の誘引光を発光する光源と、ノミを捕獲する捕獲部と、前記光源及び前記捕獲部を保持する保持部とを備えたノミ捕獲装置において、
前記保持部を透明又は半透明にすることにより、前記光源からの前記誘引光が前記保持部を透過して前記保持部の周囲に到達することを特徴とするノミ捕獲装置。
【請求項２】
請求項１に記載のノミ捕獲装置の捕獲部として使用される粘着シートであって、ノミの複数の足の接地位置に高低差を生じさせる凹凸が表面に形成されたことを特徴とする粘着シート。
【発明の詳細な説明】
【０００１】
【発明の属する技術分野】
本発明は、イヌ、ネコ等の動物に由来するノミを、効果的に誘引して捕獲するノミ捕獲装置及び粘着シートに関する。
【０００２】
【従来の技術】
イヌ、ネコ等の動物に由来するノミを駆除する方法の１つに、光を用いてノミを誘引し、捕獲する方法がある。例えば、豆電球を発光させて、その光に誘引されてきたノミを粘着シートで捕獲する粘着トラップ等が知られている。
これらの方法及び装置には、さらなるノミ捕獲・駆除効果の向上が求められている。
【０００３】
【発明が解決しようとする課題】
本発明は、このような状況を鑑みてなされたものであり、従来よりも高いノミ捕獲効果、駆除効果を得ることを目的としたものである。
【０００４】
【課題を解決するための手段】
本発明者らは、鋭意検討した結果、以下の手段によって上記課題を解決できることを見出した。
（１） ノミが誘引される波長の誘引光を発光する光源と、ノミを捕獲する捕獲部と、前記光源及び前記捕獲部を保持する保持部とを備えたノミ捕獲装置において、
前記保持部を透明又は半透明にすることにより、前記光源からの前記誘引光が前記保持部を透過して前記保持部の周囲に到達することを特徴とするノミ捕獲装置。
（２）  上記（１）に記載のノミ捕獲装置の捕獲部として使用される粘着シートであって、ノミの複数の足の接地位置に高低差を生じさせる凹凸が表面に形成されたことを特徴とする粘着シート。
なお、本明細書でいう「捕獲」の意味には、単にノミを捕らえる場合、ノミを捕らえて殺滅する場合等も含むものとする。
【０００５】
【発明の実施の形態】
本発明者らは、ノミを光により誘引して、その誘引されたノミを捕獲する際のノミの誘引・捕獲効果を改良するために鋭意検討した。その結果、ノミを誘引光によって捕獲部の方に誘引しても、その誘引経路に、誘引光が届かない影が捕獲部等によって形成されていると、ノミが捕獲部に接近していかなくなる傾向があることを見出し、本発明を想到するに至った。
そのような影が形成されないようにする好ましい手段として、捕獲部を設置箇所に保持する保持部を透明ないし半透明にすることが挙げられる。例えば、保持部を、ポリスチレン、ポリプロピレン等の透明樹脂又は半透明樹脂や、ガラス等によって形成することが挙げられる。他にも、光源に対する捕獲部の位置を調整する、反射光を利用する、等の手段を挙げることができ、特に限定されない。
【０００６】
また、本発明者らは鋭意検討の結果、ノミ捕獲装置の捕獲部として粘着シートを用いる場合、粘着シート表面に凹凸を形成しておくことで、ノミ捕獲効果をより向上できることを見出した。凹凸は、粘着シート表面の全域に設けてもよいし、所定部分のみに設けてもよい。
粘着シートには、そのシート表面の中央部が粘着部になっており、周縁部が粘着性を有しない剥離部になっているものがある。このような粘着シートが傾斜した状態で設置されている場合、誘引されたノミが粘着シートの剥離部まで歩行していった際に、その剥離部でノミが滑ってノミが粘着部まで到達できず、結果としてノミの捕獲効果が十分に発揮できない場合があることがわかった。凹凸を粘着部のみに設けた場合も捕獲効果が向上するが、前述のノミが滑る問題の改善のために、凹凸は粘着シート表面の全域に設けたり、少なくとも周縁部の剥離部に設けたりすることが特に好ましい。
凹凸（凹及び／又は凸）の形態は特に限定されず、ノミの複数の足の一部分が低い箇所に接地され、複数の足の他の部分が高い箇所に接地されるような凹凸、すなわちノミの複数の足の接地位置に高低差を生じさせるような凹凸を例示できる。
【０００７】
本発明においては、光源の形態は限定されず、豆電球、化学発光灯（エレクトロルミネッセンス（ＥＬ）等）、白熱灯、蛍光灯等を用いることもできるが、発光ダイオード、高輝度発光ダイオード（以下、「ＬＥＤ」ともいう）を用いることが、耐久性、省電力、ノミ誘引効果等の観点から好ましい。
【０００８】
光源としては、順電流２０ｍＡを通電した時の発光主波長が４７０±２０ｎｍであり、スペクトル半値幅が３０±１０ｎｍであるＬＥＤを少なくとも１つ用いることが好ましい。こうすることで、ノミは光源の方向に著しく誘引され、その誘引されたノミを捕獲部により、効率的に捕獲できる。
なお、本明細書でいう順電流２０ｍＡにおける特性（発光主波長が４７０±２０ｎｍであり、スペクトル半値幅が３０±１０ｎｍ）は、ＬＥＤの定格値を意味する。
【０００９】
本発明において好ましいＬＥＤとは、発光される光の光度が著しく大きいもので、具体的にはその光度が０．３〔ｃｄ〕以上、好ましくは０．５〔ｃｄ〕以上、より好ましくは１〔ｃｄ〕以上のものである。ここで〔ｃｄ〕は、光度の単位カンデラを表す。
【００１０】
発光光度の測定において、未知の光度の算出は既知の光度を有する発光スペクトルの発光強度を基準とし、測定した未知の発光スペクトルの発光強度とを相対的に対比させ類推することができる。また、光度〔ｃｄ〕＝照度〔ｌｘ〕×距離〔ｍ〕2 の公式でも算出できる。
また、上記ＬＥＤの照度は大きいものが好ましい。照度は観測方向に垂直な単位面積当たりの明るさである。
【００１１】
本発明においては、上記ＬＥＤを少なくとも１つ用いることができるが、２つ以上併用してもよく、更に他種のＬＥＤを併用してもよい。
ここで用いることができるＬＥＤとしては、４００〜６００ｎｍの発光波長を有するものが良く、好ましくは４２５〜５５０ｎｍ、より好ましくは４５０〜５２５ｎｍである。複数のＬＥＤを用いる際には、ほぼ同一の発光波長を有するものが好ましく、例えば複数のＬＥＤを青色ＬＥＤに統一することができる。
【００１２】
上記でいう発光波長は、主波長の値であり、光の発光スペクトルにおけるドミナント波長を意味する。本発明に用いることができるＬＥＤの発光による光は、発光スペクトルにおける波長分布が狭く、高色純度を有することが好ましく、発光スペクトルのパターンが主波長をピークに左右にほぼ正規分布している単色光が好ましい。
【００１３】
上記ＬＥＤの発光は、常時点灯方式でもよいが、点滅方式であることが好ましい。これにより、より効率的にノミを誘引することができる。ここで点滅させる周期としては、３０Ｈｚ以下であることが好ましく、より好ましくは２０Ｈｚ以下である。
更に、デューティー比（１回のＯＮ−ＯＦＦ時間に対するＯＮしている時間の比率）は５０％以下が好ましく、より好ましくは１０％以下である。これにより、許容順電流値を向上させることができ、高光度の光を長時間発光させることができ、ノミの捕獲率をより向上させることができる。
上記のようにＬＥＤ自体を点滅させる他にも、ＬＥＤは連続で発光させ、シャッター等の光を遮る手段を設けて点滅させてもよい。
【００１４】
ＬＥＤを光源として用いると、乾電池を長時間使用することが可能となり、省電力化を実現し、またコードレス化も可能となり、屋外、犬小屋、タンス、クローゼット等でも使用可能で、設置範囲が拡大する。
電源の形態は特に限定されないが、アルカリ電池、マンガン電池、水銀電池、太陽電池、蓄電池、カドニカ電池等を用いることができ、場合によっては家庭用電源を用いてもよい。また、充電式の電源を用いてもよい。
また、ＬＥＤを光源として用いると、点滅動作を制御し易く、デューティー比を変更して点滅サイクルを増やすのも容易である。
【００１５】
また、本発明者らは、上記ＬＥＤを少なくとも１つ用いることに加えて、少なくとも、ノミ捕獲対象領域内の特定の箇所における照度を、ノミの誘引に有効な照度とすることが良い。
そして、ＬＥＤの光の照射方向としては、具体的には、例えば設置面に対して水平方向もしくはやや下向きとするのが良い。
【００１６】
ＬＥＤからの光の照射と、上記特定の箇所の照度をノミ誘引に有効な照度とすることが相乗効果をもたらし、捕獲部や光源の近くにいるノミばかりでなく、かなり離れた場所のノミまでが光源の方向に強く誘引されると考えられる。更に捕獲部の近傍に近づいたノミは、該箇所がノミ誘引に有効な照度に照射されているので、確実に光源の方向に誘引され、略１回の跳躍で捕獲部に到達し捕獲される。また、跳躍の着地点がずれて捕獲部に乗らなかったノミも、その後歩行により光源に接近していき、捕獲部に到達し捕獲される。
【００１７】
本発明においては、光源の後部に配置されたリフレクターとか、電球の前部に配置された光拡散板等を用いて光源自体を大きくしなくとも、ノミを著しく効果的に誘引／捕獲することができるばかりでなく、装置自体がコンパクトにでき、わずかなスペースでも本発明の装置を設置することができる。
【００１８】
「ノミ捕獲対象領域」とは、ノミを捕獲しようとする領域のことを言う。例えば、本発明のノミ捕獲装置を配置した床面、カーペット、畳等の設置面が挙げられる。
光源としてＬＥＤを用いた場合、上記ノミ捕獲対象領域内の特定の箇所として、捕獲部の端部から、ノミの１回の跳躍で移動する最大距離（約３０〜４０ｃｍ程度）だけ離れた箇所を例示できる。
また、該捕獲部の端部から該最大移動距離だけ離れた箇所を、ノミ誘引に有効な照度とするが、該箇所の少なくとも一部若しくはすべてをノミ誘引に有効な照度とすればよい。この場合、該箇所は、光源からの照射方向にあり、上記ノミ捕獲対象領域内の最大照度を示す箇所である。
【００１９】
上記特定箇所への光源からの光の照射とは、光源から直接該箇所へ光が照射される場合、光源からの光が反射面により反射した反射光が該箇所へ照射される場合、及び上記直接的な光と上記反射光の両方が該箇所へ照射される場合を含む。
上記直接的な光と上記反射光の両方が該箇所へ照射される場合が好ましい。
【００２０】
また、光源としてＬＥＤを用いた場合、ノミを誘引するのに有効な照度は、好ましくは１０〔ｌｘ〕以上、より好ましくは２０〔ｌｘ〕以上、更に好ましくは３０〔ｌｘ〕以上である。
【００２１】
ノミ捕獲対象領域内の特定の箇所における光の照度を、ノミを誘引するのに有効な照度とするが、光源からの光は、該特定の箇所ばかりでなく、該箇所から、光源の光の照射方向に離れた箇所及び／又は該箇所から光源に近い箇所にも照射されることが好ましい。
【００２２】
上記ノミ捕獲対象領域内の特定の箇所における光の照度を、ノミを誘引するのに有効な照度とする手段としては、いずれの手段でもよいが、光源からの直接光だけでなく、光源からの光を反射面で反射させた反射光を用いる手段を併用することが好ましい。
【００２３】
以下、光源からの光を反射面で反射させて、該反射光を用いる手段について説明する。
反射面からの反射光を、前記捕獲部の外側からノミの１回の跳躍での最大移動距離だけ離れた箇所のうち少なくとも一箇所がノミを誘引するのに有効な照度となるように、光源からの光とともにノミ捕獲対象領域内に照射させることが好ましい。
【００２４】
反射面で反射した光の光度は、大きいほうが好ましいので、反射面の反射率が高いことが好ましい。具体的には、反射面の全反射率〔（反射した光の光度／光源から入射した光の光度）×１００で表される〕は、５０％以上が好ましく、より好ましくは８０％以上である。ここで全反射率とは、鏡面反射率（正反射率）と乱反射率（拡散反射率）の和をいう。本発明においては、反射面が乱反射するものでもよい。
ここで、上記全反射率〔鏡面反射率(正反射率)と乱反射率(拡散反射率)〕は、例えば変角光度計（ゴニオフォトメーター）により測定することができる。
【００２５】
反射した光の波長としては、ノミを効率的に誘引できる波長であれば上記光源からの光と同じでも、変化してもいずれでもよい。
ノミを誘引するのに有効な反射光とは、反射した光がノミを誘引することができる波長、光度を有するものである。その波長としては、発光主波長４７０±２０ｎｍ（かつスペクトル半値幅３０±１０ｎｍ）の他、４００〜６００ｎｍでもよく、光度としては、０．１５〔ｃｄ〕以上が挙げられる。
【００２６】
このような反射面を有する反射板としては、アルミニウム、銅、銀、金、ニッケル、真鍮、クロム等の金属またはそれらの合金、あるいはこれらの金属、合金を基体上に被覆した反射板（鏡等）、
硅素酸化物、チタン酸化物、花崗岩、石灰石、大理石、石膏、ガラス、人工ルビー、人工ダイヤ、人工エメラルドなどの単結晶等の無機材料またはそれらの混合物、あるいはこれらの材料を基体上に被覆した反射板、
木材、絹、木綿、紙等の天然材料またはそれらの混合物、あるいはこれらの材料を基体上に被覆した反射板、
等が挙げられ、上記特性を満足させるものが挙げられる。
【００２７】
また、所定の基体を、低密度ポリエチレン（ＬＤＰＥ）、高密度ポリエチレン（ＨＤＰＥ）、ポリエチレン（ＰＥ）、超低密度ポリエチレン（ＶＬＤＰＥ）、エチレン−酢酸ビニル共重合体（ＥＶＡ）、ポリ塩化ビニリデン（ＰＶＤＣ）、ナイロン（ＮＹ）、延伸ナイロン（ＯＮＹ）、延伸ポリプロピレン（ＯＰＰ）、未延伸ポリプロピレン（ＣＰＰ）、ポリエチレンテレフタレート（ＰＥＴ）、ポリスチレン（ＰＳ）、エチレン−ビニルアルコール共重合体（ＥＶＯＨ）等の樹脂で被覆して、上記特性を満足させたものも挙げられる。
上記において基体としては、ボール紙、厚紙等の紙、樹脂シート、金属板、ガラス等が挙げられる。
【００２８】
これらの中で好ましいものとしては、基体としてのボール紙又は樹脂シートに、上記材料（金属材料、無機材料、天然材料等）を被覆し、更にＬＤＰＥ、ＨＤＰＥ、ＰＥ、ＶＬＤＰＥ、ＥＶＡ、ＰＶＤＣ、ＰＥＴ、ＥＶＯＨ等の樹脂で被覆したものが挙げられ、より好ましくは基体としてのボール紙に、上記材料を被覆し、更にＰＥＴで被覆したものである。
また、上記反射面の光の反射を調整するために、研磨処理、陽極酸化処理等の処理を施すこともできる。
【００２９】
上記反射面の色としては、反射光と関係するが、具体的には白、灰色、青、緑、黄、銀色、金色、茶色等が挙げられる。
【００３０】
反射面が乱反射するものである場合、乱反射率としては、好ましくは５０〜１００％であり、より好ましくは８０〜１００％である。
【００３１】
乱反射させるためには、上記の反射板において、基体上にガラス、アルミニウム、銀等の金属、樹脂、気泡等の光拡散性物質の粉、細片、ビーズを有するもの等が挙げられる。上記光拡散性物質は基体上にドット状またはストライプ状に設けることができる。また、上記反射板の反射面に、小孔や突起を設けたり、階段状に成形したりするような凹凸を設けて乱反射させることもできる。更には、反射率の異なる、表面が凹凸状の透明なガラスや樹脂を積層したシートを反射板上に被覆することで乱反射させることもできる。
【００３２】
上記のような特性を有する反射面は、複数用いることもできる。
反射面を用いる場合には、ノミを誘引するのに有効な光を発光するための光源としては、前記ＬＥＤを少なくとも１つ用いることが良く、これと共に併用できる光源としては、ＬＥＤ、白熱電球、豆電球、蛍光灯、高輝度ＬＥＤなど、ノミを誘引するのに有効であればどのような光源も使用することもできる。しかし、消費電力が少ない、寿命が長い、ノミの誘引効果が高い波長の光を出せる等の点から、ＬＥＤ、高輝度ＬＥＤを用いることが好ましい。
【００３３】
上記反射面を用いることにより、人の生活環境で発生、存在するノミ、特にイヌ、ネコから離れたノミに対して、優れた誘引活性を得ることができ、その誘引されたノミを捕獲部により著しく高い率で捕獲することができる。
【００３４】
本発明においては、レンズ等を使用して光源からの光を遠方に照射させることもできる。
【００３５】
上述のような反射面は、その反射光が光源からの光とともにノミ捕獲対象領域に照射され、該領域内における、前記捕獲部の端部からノミの１回の跳躍での最大移動距離だけ離れた箇所においてもノミを誘引するのに有効な照度となるように、光源からの光が到達する側に傾斜されていることが好ましい。
これにより、光源としての更なる相乗的な効果をもたらし、誘引活性を速くすることができるし、かつ装置がコンパクト化されても装置の周囲に誘引されたノミを確実に捕獲することができる。
【００３６】
傾斜をつけた反射面に光が映ると、周囲の床面（ノミ捕獲対象領域）に反射して、反射面自体もノミが光源と感知し、誘引されたノミは反射面にめがけて飛び込む現象がみられる。
【００３７】
反射面について、設置面（水平面）に対してつける傾斜角度Ｘは、最小が光源からの光を最低限床面に入射できる角度から最大が９０°未満である。その角度は、好ましくは５〜６０°、より好ましくは１０〜２５°である。
【００３８】
反射面は、光源より下方に配置され、且つ光源からの光の照射方向における設置面上に配置されることが好ましい。これにより、装置の設計上都合がよく、装置のコンパクト化が可能になる。
【００３９】
前述の反射面を用いる場合では、光源の光が反射面に映るようにする関係上、光源の高さと反射面との位置関係が非常に重要である。反射面から反射した光は、ノミの誘引活性の上からその全部が床面に向かうようにするのが好ましい。
【００４０】
光源の高さは低い方が良く、これは光源の高さが高くなるほど、１）光源の指向特性には限界があるため、また２）光源が離れるほど、反射面に対する照度（ルックス）が低下するため、反射面に光が映りにくくなるという点によるものである。
従って、光源の位置は、本発明の装置の一実施形態を表す図２に示すように、反射面（図２の装置は、反射面が捕獲部である粘着シートも兼ねている）の光源に最も近いポイントＢを基準として、そこから上方への距離が０〜１０ｃｍであることが好ましい。より好ましくは０．５〜５ｃｍである。
【００４１】
一方、反射面の光源に最も遠いポイントＡ’は、反射面の下端に当たり、また装置の最前部に当たるが、装置を構成する上での制約がある点に配慮する必要がある。例えば、
(1) ノミの跳躍力からみて高さは低いほど入りやすい、
(2) ポイントＡ’の高さが低いほど光源の光が映りやすいなどの点から、
低いほど良いが、他面では
(3) 装置の最前部を構成する部材の強度上からの必要な厚さ、
(4) 粘着シートの下端部を止め支持するための係止部の高さ、
(5) 入ったノミが外へ逃げないための高さなどの点から、
ある程度の高さを必要とする。これらの点を総合して選択することが必要である。
【００４２】
反射面の大きさとしては、３０ｃｍ2 〜５００ｃｍ2 が好ましく、より好ましくは６０ｃｍ2 〜１００ｃｍ2 である。
【００４３】
本発明において、上記光源の光の照射により、光源の方へ誘引されたノミを捕獲する捕獲部としては、誘引されたノミを捕獲、あるいは殺虫できるものであればいずれでもよい。例えば、誘引されたノミを粘着力で捕獲できる粘着シート、静電気にて吸着するシート、誘引されたノミを電気的に殺虫できる電撃殺虫装置、殺虫剤塗布シート、水を入れた容器等が挙げられる。これらの中でも粘着シートが好ましい。
【００４４】
ノミを粘着力で捕獲できる粘着シートとしては、従来の粘着シートを用いることができる。
この粘着シートは、装置のシート装着部に上部又は下部等より貼着、挟持、ネジ止め、はめ込み式などにより設けることができる。粘着シートは、複数層を両面粘着シートにして剥がしながら何回でも使用したり、一面又は両面を洗い流しながら使用したり、表裏両面を使えるようにすることができる。
【００４５】
なお、粘着シートに直接子供の指やペットの足などが触れないようにするため、また昆虫等が入ってその粘着面を塞がないようにするために、粘着シートの上に格子等の被覆部材を設けると良い。格子等の被覆部材は、その材質が透明で粘着面（これが反射面も兼ねる場合）からの光の反射を阻害しないものがよく、或いはその面がよく反射する材質のもので構成するようにしてもよい。また、格子等の被覆部材は粘着シートから少し離して設けて取り外しができるようにするのがよく、汚れたときに適宜取り外して洗浄可能にすることもできる。また、上記格子等の被覆部材、更に本発明の装置の構成部材は、撥水剤、撥油剤、帯電防止剤等で処理されてもよく、これにより汚れがつきにくくなる。
格子等の被覆部材を粘着シートから離して設ければ、接近してきたノミが、被覆部材と粘着シートとの間の隙間をスムーズに通過できる。したがって、接近してきたノミの捕獲効率をより向上できる。
【００４６】
粘着シートは、それ自体が上述の反射面になっていてもよいし、反射面とは別に設けていてもよい。
粘着シートは、シートの上面に粘着剤を予めあるいは使用するに際し塗膜が形成されるようにすればよい。粘着シートが反射面とは別に設けられている場合、その塗膜の表面が一般に平滑なものであっても、凹凸等を有してもよい。ノミを捕獲できるものであれば、粘着面の形状は任意であって特定のものに限定されることはない。また、粘着剤は、ノミを有効に捕獲できるものであればいずれのものでも用いることができる。粘着面は、粘着スプレーなどによる粘着面でもよい。
粘着シートの表面が凹凸を有するものとして、粘着シートが立体的網目形状、立体的格子状のものが挙げられる。そのような粘着シートは、発泡率を高くして形成した網目状ないし立体的格子状スポンジ或いは網目状ないし立体的格子状の針金加工体、ハニカム状のもの（素材紙、ダンボール、樹脂、発泡体、金属、ゴム、スポンジ等）の表面全体に粘着剤を、浸漬処理、スプレー等により付着させて粘着性を付与して、作製することができる。これにより、光透過性がよく、且つ粘着箇所が大きくなる。
【００４７】
粘着シートの大きさは、使用する室内の大きさやノミの捕獲効率などによって決まるが、例えば５ｃｍ〜１０ｃｍ×７ｃｍ〜１５ｃｍが好ましい。
【００４８】
また、本発明においては、捕獲部としての粘着シートが上記反射面も兼ねる場合が好ましい。これにより、光源による光とその反射光を利用することで、該粘着シート面積の大小に関わらず、高効率でノミを捕獲することができ、これにより、該シートの面積を小さくすることができ、ノミ捕獲装置のコンパクト化が可能になり、屋外等への持ち運びが簡便となったり、該装置の専有面積を小さくできる。
この場合、反射面と粘着面を兼ねるものとしては、反射率の高い反射板上に、高い光透過率と低い光吸収率を有する粘着剤を塗工したもの等が挙げられる。
【００４９】
上記のような反射面が、粘着シートの粘着面と別に設けられている場合には、(1) 粘着シートを光透過性材料とし、そのシートの下に反射板を重ねる形態、
(2) 粘着シートの上に、ノミの捕獲に障害にならないような、多数の穴あるいはスリットを有する被覆部材（この形態としては格子状、ストライプ状、網目状等が挙げられる）を設け、その被覆部材の表面が反射面となる形態、
(3) その他、粘着シートとは別に装置の一部（装置本体や光源上部に設けられた庇の裏側等）が反射面となる形態、及び
(4) これらの形態を組み合わせたものを挙げることができる。
反射面は装置中複数あってもよい。
【００５０】
本発明を実施するに当たり、その装置には、他の誘引手段あるいは殺虫手段を一緒に設けてもよい。そのような例としては、ヒータ等の加熱手段、炭酸ガス発生装置、酪酸、乳酸等の誘引剤を含有する手段等を挙げることができる。例えば、酪酸、乳酸等の誘引剤を含有する手段としては、本発明の装置のいずれの場所にも設置することができる。特に、粘着シートの粘着材及び／又はシートに上記誘引剤を置いたり、添加したり、練り込み、塗布、含浸、噴霧、貼着、印刷することができる。
【００５１】
更に必要に応じて、アレスリン、レスメトリン、ペルメトリン、シペルメトリン、シハロトリン、シフルトリン、フエンプロパトリン、トラロメトリン、シクロプロトリン、フェンバレレート、エスフェンバレレート、エトフェンプロックス、エンペントリン、プラレスリン、トランスフルスリン、フェノトリン、シフェノトリン等あるいは、それらの異性体、誘導体、類縁体を含むピレスロイド系化合物、ジフルベンズロン、テフルベンズロン、クロルフルアズロン、ブプロフェジン、フェノキシカルブ、メトプレン、ハイドロプレン、ピリプロキシフェン等の昆虫成長制御剤（ＩＧＲ）、ピリミフォスメチル、ダイアジノン、ピリダフェンチオン、フェニトロチオン、クロルピリホスメチル、クロルピリホス、ジクロルボス、マラソン、ジメトエート、ジメチルビンホス、サリチオン、トリクロルホン、エチオン等の有機リン系化合物、カルバリル、メトルカルブ、イソプロカルブ、フェノブカルブ、プロポキスル、キシリルカルブ、エチオフェンカルブ、ベニダイオカルブ、ピリミカーブ、カルボスルファン、メソミル、オキサミル等のカーバメイト系化合物等の殺虫剤を含有させる手段が挙げられ、具体的には本発明の捕獲装置の一部や、粘着シートの粘着剤及び／又はシートに上記殺虫剤を直接若しくは間接的に、殺虫剤をそのまま若しくは希釈して、練り込み、塗布、含浸、噴霧、貼着、印刷、添加することができる。
【００５２】
本発明における捕獲対象としては、屋内外に生息するノミ類であり、特に屋内で飼っているネコ、イヌ等のペットから遊離したノミを捕獲するのに好適である。具体的には、イヌノミ、ネコノミ、ヒトノミ、ケオプスネズミノミ、ネズミフトノミ、メクラネズミノミ、ヤマトネズミノミ、ヨーロッパネズミノミ、ネズミスナノミ等を挙げることができる。
【００５３】
本発明を実施するのに適する装置の一例を図１に示す。ノミ捕獲装置１の本体２は、光源保持部３と粘着シート（捕獲部）の保持部４とを有している。光源保持部３には、光源（高輝度ＬＥＤ）８，９が取り付けられており、光源８，９の光の照射方向の設置面（床面あるいはノミ捕獲対象領域）上に、粘着シート保持部４の上部に収容された粘着シート５が配置されている。粘着シート５は、光源８，９の光の照射方向に対して傾斜している（傾斜角度Ｘ°）。
【００５４】
粘着シートの保持部４には、粘着シート５が収容されており、更に該シート５の上方に格子６が装着されている。格子６は、粘着シート５を交換するために、面７と格子６とが交差する線を中心に回動するようにしてもよい。
図１において、粘着シート５は、反射面も兼ねている。
【００５５】
光源保持部３は直方体の形状であって、粘着シート５に面しかつ床面に対してほぼ直立している面（捕獲装置顔部）７には、２つの光源８、９が取り付けられている。光源８，９は共に青色の高輝度ＬＥＤとすることができる。この光源保持部３の内部には、高輝度ＬＥＤ用基板や乾電池が収容される。
【００５６】
このノミ捕獲装置１においては、粘着シート保持部４の、粘着シート５が設置された面の外側に傾斜面４ａ，４ｂが設けられている。粘着シート５が設置された面の前方側の（光源保持部３側とは反対側の）傾斜面４ａは、粘着シート５表面（反射面）に略平行かつ略面一な傾斜面（傾斜角度Ｘ°）になっており、粘着シート５の前端より０．５〜２ｃｍ（突出量Ｆ）前方に突出している。傾斜面４ａ前端のポイントＡの高さは２〜３ｍｍになっている。粘着シート５が設置された面の側方側の傾斜面４ｂは、傾斜角度Ｘ°より大きい傾斜角度Ｙ°（例えば１５°〜７０°）で傾斜しており、それら傾斜面４ｂの端部の高さは、ポイントＡと同様に２〜３ｍｍになっている。
【００５７】
そして、粘着シート保持部４と、光源保持部３の光源（高輝度ＬＥＤ）８，９より下方の部分とは、光源８，９からの光が透過するような透明ないし半透明にされている。すなわち、装置１の設置面に隣接ないし近接する面が、光透過性を有する部材からなっている。
従って、光源保持部３の後側を除けば、装置１の周囲に光源８，９からの光がいきわたって影が形成されないため、装置１の周囲にまで接近したノミが影に入って光源８，９の方向を見失うことがない。そしてノミは、光源８，９を目指して傾斜面４ａ，４ｂを移動していき（登っていき）、粘着シート５に向かって接近していく。
粘着シート保持部４と、光源保持部３の光源（高輝度ＬＥＤ）８，９より下方の部分とは、透明ないし半透明な樹脂等から一体成形することができるが、誘引経路に関係のない部分である光源保持部３の後側の部分等は、不透明部材から形成してもよい。
【００５８】
傾斜面４ａ，４ｂは、ノミが滑ることなくスムーズに登れる滑り止め面にしておくことが好ましい。例えば傾斜面４ａ，４ｂを、シボ加工やライン引き加工によって凹凸面にしておくことができる。また、傾斜面４ａ，４ｂが樹脂からなる場合、ポリプロピレン、ポリエチレン、ポリエチレンテレフタレート、ポリスチレン等にゴム系を混練したり、表面に滑り止め剤をコーティングやスプレー等で塗布したりしてもよい。
【００５９】
粘着シート５の上には、隙間Ｓを隔てて格子６が設けられている。格子６の前端部の両側は支持片４ｃによって支持されている。格子６の後端部（光源保持部３側の端部）の両側は、軸支片４ｄによって回動自在に軸支されている。一対の支持片４ｃの間と、支持片４ｃと軸支片４ｄとの間に、ノミが通過可能な隙間Ｓが形成されている。すなわち、粘着シート５の光源保持部３側の辺を除く三辺に沿って隙間Ｓが形成されている。
格子６には、格子６を開いた際の庇１０との干渉を防ぐ開口部６ａが設けられている。
【００６０】
光源保持部３の光源８，９より上方の部分は着色されている。例えば青ないし紫に着色することができる。そして、光源８，９の上方に、同様に着色された庇１０が設けられている。この庇１０は、平板部１０ｂの所定箇所に上方に凸なドーム部１０ａを設けた構成である。光源８，９は、平板部１０ｂの下面より下方に配置されている。ドーム部１０ａは光源８，９の直上に配置されている。このようなドーム部１０ａを設けたところ、ノミ捕獲効率が向上した。
【００６１】
図２は図１の装置１の縦断面図である。図２に示すように、庇１０の平板部１０ｂは、装置１の設置面に対して略平行に、光源保持部３の前側の面７から１〜３ｃｍ程度突出している。
ここでは、光源保持部３の光源９より上方の部分が、着脱可能な蓋部３ａとされている。蓋部３ａは、光源保持部３にその蓋部３ａを係止するための係止部（係止爪）３ｂを備えている。
【００６２】
光源９の端子は、電子部品基板（回路基板）３４に平行に延びて基板面上に配置されるとともにその基板３４に直接接続されている。光源９の光軸の方向は、装置１の設置面に対して平行にすることができる。図中に角度範囲Ｚで示すように、設置面に平行な方向に対して例えば−４５°〜０°の範囲で光軸を傾けることもできる。ここで、設置面に平行な方向に対して下方をマイナスとする。
装置１の設置面に平行な方向における光源９と粘着シート５前端との間隔Ｌは、例えば１〜１５ｃｍ、より好ましくは５〜１０ｃｍとすることができる。また、粘着シート５後端（光源９に最も近いポイント）から光源９までの高さＨは、例えば０．５〜３ｃｍとすることができる。
【００６３】
図３は図２の装置１の分解斜視図である。なお、ここでは蓋部の図示を省略した。図３に示すように、基板３４両側端には、電源である乾電池３２（図２参照）と電気接続するための端子３６，３７が設けられている。端子３６，３７は、基板３４から下方に延びており、その先端に、乾電池３２の端子に当接するコイル部（付勢部）３６ａ，３７ａが設けられている。
蓋部を除いた、光源保持部の下方の部分（台部）３ｂの上面には、挿通孔３６ｂ，３７ｂが設けられている。これら挿通孔３６ｂ，３７ｂに、基板３４の端子３６，３７先端に設けられたコイル部３６ａ，３７ａを挿入することで、コイル部３６ａ，３７ａを台部３ｂ内に装着される乾電池に電気接続可能にできるとともに、基板３４を台部３ｂに固定できる。
基板３４を上記構成とすることと、蓋部３ａ（図２参照）を着脱自在とすることにより、装置１の組立て性が向上されている。また、装置１がコンパクトになっている。
【００６４】
次に、図４に基づいて粘着シート５を備えた捕獲手段の一例を説明する。図４（Ａ）に示すように、この捕獲手段４５は、粘着シート５が設けられた長方形状の捕獲板４６と、捕獲板４６の一辺に折り畳み可能に接続された被覆板４７とを備えている。最初、捕獲板４６に設けられた粘着シート５は剥離紙５ａによって覆われている。捕獲板４６にはつまみ４８が設けられている。
図４（Ｂ）に示すように、使用時には、被覆板４７を折り畳んで、捕獲板４６の粘着シート５が設けられた面とは反対側の面に重ねるとともに、つまみ４８を把持しながら捕獲板４６から剥離紙５ａを剥がして粘着シート５を露呈させる。この状態で、捕獲手段４５を図１に示したようなノミ捕獲装置１にセットする。
粘着シート５に多数のノミが捕獲されたら、捕獲手段４５をノミ捕獲装置１から取り外して廃棄する。この際、図４（Ｃ）に示すように、被覆板４７を折り返して、粘着シート５の上に被覆板４７を重ね合わせる。こうすることで、ごみ箱等の容器に粘着シート５が張り付くことを防止できる。また、捕らえたノミを覆い隠して清潔に処理できる。
【００６５】
図５は、捕獲板４６の上面図である。この粘着シート５は、シート表面の中央部が粘着部５ｂになっており、周縁部が粘着性を有しない剥離部５ｃになっている。そして、粘着シート５表面の全域に、すなわち粘着部５ｂと剥離部５ｃの両方に波形状の（唐草模様の）凹凸が設けられている。
このような粘着シート５の表面によって反射された反射光は、目にやさしいものとなる。
【００６６】
図６は、本発明を実施するのに適する装置の別の例を示す側面図である。このノミ捕獲装置１１では、３６０°方向へ光源１８の光、反射面１５からの反射光が反射し、３６０°方向からノミが誘引される
ノミ捕獲装置１１は、略円錐台状の粘着シートの保持部１４と円筒状の光源保持部１３とを有している。
粘着シートの保持部１４の傾斜面には粘着シート１５が収容されており、その上に放射状の格子１６が装着されている。ここで、粘着シート１５は反射面も兼ねる。粘着シートの保持部１４は、光源１８の光が透過するような透明ないし半透明にされている。
図７は図６のノミ捕獲装置１１の上面図である。円筒状の光源保持部１３の周囲の側面１７には４つの光源１８が等間隔で設けられている。
【００６７】
また、上記図１あるいは図６などのように、粘着シートの上方に光源を配置する以外に、更に他の場所にも光源を配置することができる。例えば、図２を用いて説明すると、光源９以外に、粘着シート下端Ａ’付近の装置内部に、透明にされた粘着面を照らし、かつ前方を明るくするような光源を配置することができる。
【００６８】
【実施例】
以下、実施例により本発明を詳細に説明する。なお、本発明は以下の実施例に限定されるものではない。
部屋を暗黒条件とし、図８に示す形態（幅２８ｃｍ、高さ２９ｃｍ、全長９０ｃｍの直方体状）の木製容器５０内の一端に、以下に詳しく述べる実施例１〜実施例３及び比較例のノミ捕獲装置を設置し、木製容器５０内の他端０〜５ｃｍの範囲にネコノミを放した。実施例１〜実施例３の光源は点滅させた。ネコノミを放した後、木製容器５０の上に隙間ができないように黒い蓋をして、時間経過に伴って間欠的に（１０、２０、３０分）ノミの分布及び捕獲状況を調査した。
ネコノミの状況調査は、調査時に部屋の照明をつけたときにネコノミの動きが完全に停止する行動を利用した。調査終了後、再度照明を消して試験を再開した（調査に要した時間は経過時間には含まない）。ネコノミは２〜３日齢を用いた。調査結果を表１に示す。
＜実施例１＞
図１に示した形態であって、光源として緑色高輝度ＬＥＤ（指向特性１５度）と白色高輝度ＬＥＤ（指向特性１５度）を用いたもの。粘着シートの保持部が半透明であり、粘着シート表面が平坦である（凹凸が形成されていない）もの。
＜実施例２＞
図１に示した形態であって、光源として緑色高輝度ＬＥＤ（指向特性１５度）と白色高輝度ＬＥＤ（指向特性１５度）を用いたもの。粘着シートの保持部が半透明であり、粘着シート表面に凹凸が形成されたもの。
＜実施例３＞
図１に示した形態であって、光源として青色高輝度ＬＥＤ（指向特性１５度）を２つ用いたもの。粘着シートの保持部が半透明であり、粘着シート表面に凹凸が形成されたもの。
＜比較例＞
図１に示したものと外観は同様であるが、粘着シートの保持部が不透明であり、装置周囲に影が形成されるもの。粘着シート表面が平坦であり、光源として緑色高輝度ＬＥＤ（指向特性１５度）と白色高輝度ＬＥＤ（指向特性１５度）を用いたもの。
【００６９】
【表１】
0004633944.tif 000002
【００７０】
表１の結果より明らかなように、本発明の実施例１〜実施例３は、従来のもの（比較例）に比べて、捕獲効果が高い。
なお、表１において「装置上」とは、装置上には載ったがその時点では粘着シートに捕獲されていないノミを意味し、「捕獲」とは、粘着シートに捕獲されたノミを意味する。
【００７１】
表１の実施例１と実施例２とを比較すると、粘着シート表面に凹凸を設けることで捕獲効果をより向上できることがわかる。
表１の実施例２と実施例３とを比較すると、複数の（２つの）光源を用いる場合、異色のものを用いるより同色のものを用いた方が誘引・捕獲効果が高いことがわかる。
【００７２】
【発明の効果】
本発明によれば、イヌ、ネコ等の動物に由来するノミを、効果的に誘引することができ、それにより誘引されたノミを効果的に捕獲することができる。
【図面の簡単な説明】
【図１】本発明の一実施形態のノミ捕獲装置の斜視図である。
【図２】図１のノミ捕獲装置の縦断面図である。
【図３】図１のノミ捕獲装置の分解斜視図である。
【図４】捕獲手段の一例を示す図である。
【図５】図４の捕獲手段における捕獲部の上面図である。
【図６】本発明の別の実施形態のノミ捕獲装置の側面図である。
【図７】図６のノミ捕獲装置の上面図である。
【図８】試験装置を説明する図である。
【符号の説明】
１  ノミ捕獲装置
２      本体
３      光源保持部
４      粘着シート保持部（捕獲部の保持部）
５      粘着シート（捕獲部）
６      格子
８，９  光源
【図１】
0004633944.tif 000003
【図２】
0004633944.tif 000004
【図３】
0004633944.tif 000005
【図４】
0004633944.tif 000006
【図５】
0004633944.tif 000007
【図６】
0004633944.tif 000008
【図７】
0004633944.tif 000009
【図８】
0004633944.tif 000010